【手続補正書】
【提出日】令和3年2月4日(2021.2.4)
【手続補正１】
【補正対象書類名】明細書
【補正対象項目名】全文
【補正方法】変更
【補正の内容】
【発明の詳細な説明】
【発明の名称】リソースを判定する方法および装置ならびに記憶媒体
【技術分野】
【０００１】
本開示は、無線通信に関し、特に、リソースを判定する方法および装置ならびに記憶媒体に関する。
【背景技術】
【０００２】
第４世代のモバイル通信ロングタームエボリューション（４Ｇ  ＬＴＥ）システムでは、ユーザ機器（ＵＥ）は、常にキャリアのシステム帯域幅をサポートし、リソース割り当ては、そのシステム帯域幅全体にわたって実行される。
【０００３】
第５世代のモバイル通信の新しい無線エアインターフェース（５Ｇ  ＮＲ）システムでは、キャリアのシステム帯域幅が劇的に増加する（最大で４００ＭＨｚとすることができる）。ＵＥは、単にシステム帯域幅よりもはるかに小さい帯域幅でサポートするかまたは単に動作する必要があるのみである。したがって、システム帯域幅全体にわたるリソースの割り当ては、大きすぎるシグナリングのオーバーヘッドを導入する。
【０００４】
この問題を解決するために、以下のようにレガシーの２ステップリソース割り当てアプローチが使用されることができる。第１のステップでは、ＵＥがサポートする帯域幅よりも小さい「帯域幅部分（ＢＷＰ）」が示され、そして、詳細な物理リソースブロック（ＰＲＢ）が帯域幅部分にわたって示される。そして、帯域幅部分は、基地局、すなわち、ｇＮＢによって準静的に構成される。
【０００５】
上述したレガシーアプローチは、以下の欠点を有する：５Ｇ  ＮＲシステムでは、キャリアアグリゲーション（ＣＡ）もまたサポートされる。しかしながら、レガシーアプローチは、ＣＡ動作をサポートすることができない。セカンダリコンポーネントキャリア（ＣＣ）でも動作するＵＥの場合、ＵＥは、プライマリＣＣとの無線リソース制御（ＲＲＣ）接続のみを有するため、セカンダリＣＣにおけるＵＥの帯域幅部分は、構成されることができない。したがって、セカンダリＣＣにおけるＵＥのリソースは、システム帯域幅全体にわたって引き続き割り当てられることができる。これは、セカンダリＣＣのリソース割り当てに過剰なシグナリングオーバーヘッドをもたらす。
【発明の概要】
【０００６】
上記を考慮して、本開示の実施形態は、リソースを判定する方法および装置ならびに記憶媒体を提供する。
【０００７】
一態様では、ユーザ機器（ＵＥ）によって実行される以下の動作を含むリソースを判定する方法において、第１のセルを介して第１のメッセージを受信することを含み、第１のメッセージが、第２のセルにおいてＭ個の第１の帯域幅部分（ＢＷＰ）を判定するために使用され、Ｍが１以上の整数であり、Ｍ個の第１のＢＷＰのそれぞれが、第２のセルの帯域幅以下であり、第２のセルにおけるＵＥについての１つ以上の送信リソースが、Ｍ個の第１のＢＷＰのうちの少なくとも１つに含まれる、方法が提供される。
【０００８】
本開示のいくつかの実施形態では、Ｍ個の第１のＢＷＰは、第１のメッセージによって示されることができ、本方法は、ＵＥによって実行される以下の動作をさらに含むことができる：第１のメッセージに基づいてＭ個の第１のＢＷＰを判定する。
【０００９】
本開示のいくつかの実施形態では、Ｎ個の第２のＢＷＰは、第１のメッセージによって示されることができ、Ｎは、Ｍよりも大きい整数であり、Ｎ個の第２のＢＷＰのそれぞれは、第２のセルの帯域幅以下であり、本方法は、さらに、ＵＥによって実行される以下の動作を含むことができる：第１または第２のセルを介して第２のメッセージを受信し、第２のメッセージは、Ｎ個の第２のＢＷＰのうちのＭ個の第１のＢＷＰを示す。
【００１０】
本開示のいくつかの実施形態では、第２のメッセージは、ダウンリンク制御情報（ＤＣＩ）またはメディアアクセス制御制御要素（ＭＡＣ  ＣＥ）によって伝達されることができる。
【００１１】
本開示のいくつかの実施形態では、第１のメッセージは、ＲＲＣシグナリングまたはシステム情報（ＳＩ）によって伝達されることができる。
【００１２】
本開示のいくつかの実施形態では、第１のメッセージは、さらに、第１のＢＷＰにおける構成に関する情報を含むことができ、第１のＢＷＰにおける構成に関する情報は、以下のうちの少なくとも１つを含むことができる：サブキャリア間隔（ＳＣＳ）；帯域幅サイズ；周波数領域位置；時間領域構造；同期信号の構成；ブロードキャストチャンネル；システム情報；または基準信号。
【００１３】
本開示のいくつかの実施形態では、本方法は、さらに、ＵＥによって実行される以下の動作を含むことができる：第１または第２のセルを介して第３のメッセージを受信し、第３のメッセージは、第２のセルの第１のＢＷＰ内のＵＥについての１つ以上の送信リソースを示す。
【００１４】
本開示のいくつかの実施形態では、第３のメッセージは、ＤＣＩまたはＭＡＣ  ＣＥによって伝達されることができる。
【００１５】
本開示のいくつかの実施形態では、第２のセルの帯域幅は、システム帯域幅とすることができる。
【００１６】
他の態様では、ネットワーク装置によって実行される以下の動作を含むリソースを判定する方法において、第１のセルを介してユーザ機器（ＵＥ）に第１のメッセージを送信することを含み、第１のメッセージが、ＵＥが第２のセルにおけるＭ個の第１の帯域幅部分（ＢＷＰ）を判定するために使用され、Ｍが１以上の整数であり、Ｍ個の第１のＢＷＰのそれぞれが、第２のセルの帯域幅以下であり、第２のセルにおけるＵＥについての１つ以上の送信リソースが、Ｍ個の第１のＢＷＰのうちの少なくとも１つに含まれる、方法が提供される。
【００１７】
本開示のいくつかの実施形態では、Ｍ個の第１のＢＷＰは、第１のメッセージによって示されることができる。
【００１８】
本開示のいくつかの実施形態では、Ｎ個の第２のＢＷＰは、第１のメッセージによって示されることができ、Ｎは、Ｍよりも大きい整数であり、Ｎ個の第２のＢＷＰのそれぞれは、第２のセルの帯域幅以下であり、本方法は、さらに、ネットワーク装置によって実行される以下の動作を含むことができる：第１または第２のセルを介して第２のメッセージをＵＥに送信し、第２のメッセージは、Ｎ個の第２のＢＷＰのうちのＭ個の第１のＢＷＰを示す。
【００１９】
本開示のいくつかの実施形態では、第２のメッセージは、ダウンリンク制御情報（ＤＣＩ）またはメディアアクセス制御制御要素（ＭＡＣ  ＣＥ）によって伝達されることができる。
【００２０】
本開示のいくつかの実施形態では、第１のメッセージは、ＲＲＣシグナリングまたはシステム情報（ＳＩ）によって伝達されることができる。
【００２１】
本開示のいくつかの実施形態では、第１のメッセージは、さらに、第１のＢＷＰにおける構成に関する情報を含むことができ、第１のＢＷＰにおける構成に関する情報は、以下のうちの少なくとも１つを含むことができる：サブキャリア間隔（ＳＣＳ）；帯域幅サイズ；周波数領域位置；時間領域構造；同期信号の構成；ブロードキャストチャンネル；システム情報；または基準信号。
【００２２】
本開示のいくつかの実施形態では、本方法は、さらに、ネットワーク装置によって実行される以下の動作を含むことができる：第１または第２のセルを介して第３のメッセージを送信し、第３のメッセージは、第２のセルの第１のＢＷＰ内のＵＥについての１つ以上の送信リソースを示す。
【００２３】
本開示のいくつかの実施形態では、第３のメッセージは、ＤＣＩまたはＭＡＣ  ＣＥによって伝達されることができる。
【００２４】
本開示のいくつかの実施形態では、第２のセルの帯域幅は、システム帯域幅とすることができる。
【００２５】
他の態様では、第１のセルを介して第１のメッセージを受信するように構成された第１受信ユニットを含むリソースを判定する装置において、第１のメッセージが、第２のセルにおけるＭ個の第１の帯域幅部分（ＢＷＰ）を判定するために使用され、Ｍが１以上の整数であり、Ｍ個の第１のＢＷＰのそれぞれが、第２のセルの帯域幅以下であり、第２のセルにおけるＵＥについての１つ以上の送信リソースが、Ｍ個の第１のＢＷＰのうちの少なくとも１つに含まれる、装置が提供される。
【００２６】
本開示のいくつかの実施形態では、Ｍ個の第１のＢＷＰは、第１のメッセージによって示されることができ、装置は、さらに、第１のメッセージに基づいてＭ個の第１のＢＷＰを判定するように構成された判定ユニットを含むことができる。
【００２７】
本開示のいくつかの実施形態では、Ｎ個の第２のＢＷＰは、第１のメッセージによって示されることができ、Ｎは、Ｍよりも大きい整数であり、Ｎ個の第２のＢＷＰのそれぞれは、第２のセルの帯域幅以下であり、装置は、さらに、第１または第２のセルを介して第２のメッセージを受信するように構成された第２の受信ユニットであって、第２のメッセージがＮ個の第２のＢＷＰのうちのＭ個の第１のＢＷＰを示す第２の受信ユニットと、第１のメッセージおよび第２のメッセージに基づいてＭ個の第１のＢＷＰを判定するように構成された判定ユニットとを含むことができる。
【００２８】
本開示のいくつかの実施形態では、第２のメッセージは、ダウンリンク制御情報（ＤＣＩ）またはメディアアクセス制御制御要素（ＭＡＣ  ＣＥ）によって伝達されることができる。
【００２９】
本開示のいくつかの実施形態では、第１のメッセージは、ＲＲＣシグナリングまたはシステム情報（ＳＩ）によって伝達されることができる。
【００３０】
本開示のいくつかの実施形態では、第１のメッセージは、さらに、第１のＢＷＰにおける構成に関する情報を含むことができ、第１のＢＷＰにおける構成に関する情報は、以下のうちの少なくとも１つを含む：サブキャリア間隔（ＳＣＳ）；帯域幅サイズ；周波数領域位置；時間領域構造；同期信号の構成；ブロードキャストチャンネル；システム情報；または基準信号。
【００３１】
本開示のいくつかの実施形態では、装置は、さらに、第１または第２のセルを介して第３のメッセージを受信するように構成された第３の受信ユニットを含むことができ、第３のメッセージは、第２のセルの第１のＢＷＰ内のＵＥについての１つ以上の送信リソースを示す。
【００３２】
本開示のいくつかの実施形態では、第３のメッセージは、ＤＣＩまたはＭＡＣ  ＣＥによって伝達されることができる。
【００３３】
本開示のいくつかの実施形態では、第２のセルの帯域幅は、システム帯域幅とすることができる。
【００３４】
他の態様では、第１のセルを介してユーザ機器（ＵＥ）に第１のメッセージを送信するように構成された第１の送信ユニットを含むリソースを判定する装置において、第１のメッセージが、ＵＥが第２のセルにおけるＭ個の第１の帯域幅部分（ＢＷＰ）を判定するために使用され、Ｍが１以上の整数であり、Ｍ個の第１のＢＷＰのそれぞれが第２のセルの帯域幅以下であり、第２のセルにおけるＵＥについての１つ以上の送信リソースが、Ｍ個の第１のＢＷＰのうちの少なくとも１つに含まれる、装置が提供される。
【００３５】
本開示のいくつかの実施形態では、Ｍ個の第１のＢＷＰは、第１のメッセージによって示されることができる。
【００３６】
本開示のいくつかの実施形態では、Ｎ個の第２のＢＷＰは、第１のメッセージによって示されることができ、Ｎは、Ｍよりも大きい整数であり、Ｎ個の第２のＢＷＰのそれぞれは、第２のセルの帯域幅以下であり、装置は、さらに、第１または第２のセルを介して第２のメッセージをＵＥに送信するように構成された第２の送信ユニットを含み、第２のメッセージは、Ｎ個の第２のＢＷＰのうちのＭ個の第１のＢＷＰを示す。
【００３７】
本開示のいくつかの実施形態では、第２のメッセージは、ダウンリンク制御情報（ＤＣＩ）またはメディアアクセス制御制御要素（ＭＡＣ  ＣＥ）によって伝達されることができる。
【００３８】
本開示のいくつかの実施形態では、第１のメッセージは、ＲＲＣシグナリングまたはシステム情報（ＳＩ）によって伝達されることができる。
【００３９】
本開示のいくつかの実施形態では、第１のメッセージは、さらに、第１のＢＷＰにおける構成に関する情報を含むことができ、第１のＢＷＰにおける構成に関する情報は、以下のうちの少なくとも１つを含むことができる：サブキャリア間隔（ＳＣＳ）；帯域幅サイズ；周波数領域位置；時間領域構造；同期信号の構成；ブロードキャストチャンネル；システム情報；または基準信号。
【００４０】
本開示のいくつかの実施形態では、装置は、さらに、第１または第２のセルを介してＵＥに第３のメッセージを送信するように構成された第３の送信ユニットを含むことができ、第３のメッセージは、第２のセルの第１のＢＷＰ内のＵＥについての１つ以上の送信リソースを示す。
【００４１】
本開示のいくつかの実施形態では、第３のメッセージは、ＤＣＩまたはＭＡＣ  ＣＥによって伝達されることができる。
【００４２】
本開示のいくつかの実施形態では、第２のセルの帯域幅は、システム帯域幅とすることができる。
【００４３】
他の態様では、プロセッサによって実行されると、プロセッサにリソースを判定する方法を実行させる、コンピュータ実行可能な命令を記憶するコンピュータ可読記憶媒体が提供される。
【００４４】
レガシーアプローチでは、ＵＥは、ＵＥがＲＲＣ接続を有するキャリア（第１のキャリアと呼ばれる）以外のキャリア（第２のキャリアと呼ばれる）の帯域幅部分を構成することができない。欠点のため、第２のキャリアにおけるリソースは、システム帯域幅全体に割り当てられなければならない。しかしながら、ＵＥがサポートする帯域幅がシステム帯域幅よりも大幅に小さい場合（５Ｇの一般的なケース）には、リソース割り当ては、非常に非効率的であり、過剰なシグナリングオーバーヘッドを消費する。
【００４５】
本開示の実施形態では、ＵＥは、第１のセルを介して第１のメッセージを受信し、第１のメッセージは、第２のセルにおけるＭ個の第１のＢＷＰを判定するために使用され、Ｍは、１以上の整数であり、Ｍ個の第１のＢＷＰのそれぞれは、第２のセルの帯域幅以下であり、第２のセルにおけるＵＥについての１つ以上の送信リソースは、Ｍ個の第１のＢＷＰのうちの少なくとも１つに含まれる。ここで、セルは、キャリアを表すことができる。この革新は、あるキャリアから他のキャリアの帯域幅部分を構成するための新たなアプローチを設計した。新たなアプローチでは、以下のように問題が解決され、欠点が改善される：
１）帯域幅部分のクロスキャリア構成により、第２のキャリアにおけるＵＥのリソースは、はるかに小さいサイズで帯域幅部分にわたって割り当てられることができる。リソース割り当ての複雑さおよびシグナリングオーバーヘッドを大幅に削減することができる。したがって、ＵＥが例えば５Ｇなどの超広帯域システムにおいて効率的なキャリアアグリゲーション動作を実行することを可能にする。
２）さらにまた、第１のキャリアによって事前構成された候補のセットから、第２のキャリアによる帯域幅部分の動的選択もサポートする。これは、２つのキャリア間に動的シグナリング交換をサポートする完全なバックホールが存在しない場合に、帯域幅部分構成の柔軟性を維持する。
【図面の簡単な説明】
【００４６】
本開示の実施形態の技術的解決策をより明確に説明するために、本開示の実施形態において使用される必要がある図面が以下に簡単に紹介される。明らかに、以下に説明される図面は、本開示のいくつかの実施形態にすぎない。他の図面は、創造的な作業なしに、これらの図面にしたがって当業者によってさらに取得されることができる。
【図１】本開示のいくつかの実施形態にかかるリソースを判定する方法のフローチャートを示している。
【図２】本開示のいくつかの実施形態にかかるリソースを判定する方法のフローチャートを示している。
【図３】本開示のいくつかの実施形態にかかる、第２のキャリアからの第３のメッセージを伴うリソース判定スキーム１のリソース概略図を示している。
【図４】本開示のいくつかの実施形態にかかる、第１のキャリアからの第３のメッセージを伴うリソース判定スキーム１のリソース概略図を示している。
【図５】本開示のいくつかの実施形態にかかる、両方とも第２のキャリアからの第２および第３のメッセージを伴うリソース判定スキーム２のリソース概略図を示している。
【図６】本開示のいくつかの実施形態にかかる、第２のキャリアからの第２のメッセージおよび第１のキャリアからの第３のメッセージを伴うリソース判定スキーム２のリソース概略図を示している。
【図７】本開示のいくつかの実施形態にかかる、第１のキャリアからの第２のメッセージおよび第２のキャリアからの第３のメッセージを伴うリソース判定スキーム２のリソース概略図を示している。
【図８】本開示のいくつかの実施形態にかかる、両方とも第１のキャリアからの第２および第３のメッセージを伴うリソース判定スキーム２のリソース概略図を示している。
【図９】本開示のいくつかの実施形態にかかる、リソースを判定する装置のブロック図を示している。
【図１０】本開示のいくつかの実施形態にかかる、リソースを判定する他の装置のブロック図を示している。
【図１１】本開示のいくつかの実施形態にかかるコンピュータ装置のブロック図を示している。
【発明を実施するための形態】
【００４７】
本開示の実施形態の特徴および技術的内容をよりよく理解するために、本開示の実施形態の実装が図面に関連して詳細に説明される。図面は、単に参照のために提供されるものであり、本開示の実施形態を限定するものではない。
【００４８】
図１は、本開示のいくつかの実施形態にかかるリソースを判定する方法のフローチャートを示している。図１に示されるように、リソースを判定する方法は、ブロックで示される動作を含む。動作は、ブロック１０１から開始することができる。
【００４９】
ブロック１０１において、ＵＥは、第１のセルを介して第１のメッセージを受信する。ここで、第１のメッセージは、第２のセルにおけるＭ個の第１の帯域幅部分（ＢＷＰ）を判定するために使用され、Ｍは、１以上の整数であり、Ｍ個の第１のＢＷＰのそれぞれは、第２のセルの帯域幅以下であり、第２のセルにおけるＵＥについての１つ以上の送信リソースは、Ｍ個の第１のＢＷＰのうちの少なくとも１つに含まれる。
【００５０】
本開示の実施形態では、ＵＥは、携帯電話、ラップトップ、ノートブックコンピュータ、デスクトップコンピュータ、またはネットワーク装置と通信することができる任意の装置とすることができる。
【００５１】
本開示の実施形態では、ＵＥは、第１のセルを介してネットワーク装置から第１のメッセージを受信することができる。ここで、ネットワーク装置は、基地局、例えば、５Ｇ  ＮＲシステムにおけるｇＮＢとすることができる。
【００５２】
実装では、第２のセルの帯域幅は、システム帯域幅とすることができる。
【００５３】
本開示の実施形態では、第１のセルにおける送信リソースは、第１のキャリアにより実装されることができ、第２のセルにおける送信リソースは、第２のキャリアにより実装されることができる。実装では、第１のセル（すなわち、第１のキャリア）は、メインセル（すなわち、メインキャリア）とすることができ、第２のセル（すなわち、第２のキャリア）は、補助セル（すなわち、補助キャリア）とすることができる。ＵＥは、第１および／または第２のセルを使用することにより、キャリアアグリゲーション方式で信号を送信することができる。
【００５４】
本開示の実施形態では、ＵＥは、Ｍ個の第１のＢＷＰのうちの少なくとも１つに含まれる１つ以上の送信リソースを利用することにより信号を送信するように、第１のセルにおける第１のメッセージに基づいて第２のセルにおけるＭ個の第１のＢＷＰを判定することができる。
【００５５】
本開示の実施形態では、ＵＥは、以下の方法で第２のセルにおけるＭ個の第１のＢＷＰを判定することができる。
【００５６】
スキーム１：Ｍ個の第１のＢＷＰは、第１のメッセージによって示され、ＵＥは、第１のメッセージに基づいてＭ個の第１のＢＷＰを判定する。
【００５７】
例えば、３つの第１のＢＷＰ、すなわち、ＢＷＰ１、ＢＷＰ２、およびＢＷＰ３は、第１のメッセージによって示され、ＵＥは、第１のメッセージに基づいてＢＷＰ１、ＢＷＰ２、およびＢＷＰ３を判定する。
【００５８】
スキーム２：Ｎ個の第２のＢＷＰは、第１のメッセージによって示され、Ｎは、Ｍよりも大きい整数であり、Ｎ個の第２のＢＷＰのそれぞれは、第２のセルの帯域幅以下であり、ＵＥは、第１または第２のセルを介して第２のメッセージを受信し、第２のメッセージは、Ｎ個の第２のＢＷＰのうちのＭ個の第１のＢＷＰを示す。
【００５９】
例えば、６つの第２のＢＷＰ、すなわち、ＢＷＰ１、ＢＷＰ２、ＢＷＰ３、ＢＷＰ４、ＢＷＰ５、およびＢＷＰ６は、第１のメッセージによって示され、第２のメッセージは、６つのＢＷＰのうちの３つのＢＷＰ、すなわち、ＢＷＰ１、ＢＷＰ２、およびＢＷＰ３を示すために使用される。ＵＥは、第１のメッセージおよび第２のメッセージに基づいてＢＷＰ１、ＢＷＰ２、およびＢＷＰ３を判定する。
【００６０】
実装では、第１のメッセージは、ＲＲＣシグナリングまたはシステム情報（ＳＩ）によって伝達されることができる。
【００６１】
実装では、第２のメッセージは、ダウンリンク制御情報（ＤＣＩ）またはメディアアクセス制御制御要素（ＭＡＣ  ＣＥ）によって伝達されることができる。
【００６２】
実装では、第１のメッセージは、さらに、第１のＢＷＰにおける構成に関する情報を含むことができ、第１のＢＷＰにおける構成に関する情報は、以下のうちの少なくとも１つを含む：  サブキャリア間隔（ＳＣＳ）；帯域幅サイズ；周波数領域位置；時間領域構造；同期信号の構成；ブロードキャストチャンネル；システム情報；または基準信号。
【００６３】
Ｍ＝１の場合、第１のメッセージは、１つの第１のＢＷＰにおける構成に関する情報を含み、Ｍ≧２の場合、第１のメッセージは、全ての第１のＢＷＰにおける構成に関する情報を含むことを理解されたい。このようにして、ＵＥは、第１のメッセージに基づいて第１のＢＷＰにおける構成に関する情報を判定し、第１のＢＷＰにおける構成に関する情報に基づいて第１のＢＷＰ内の送信リソースを介して信号送信を実行することができる。
【００６４】
実装では、ＵＥは、第１または第２のセルを介して第３のメッセージを受信し、第３のメッセージは、第２のセルの第１のＢＷＰ内のＵＥについての１つ以上の送信リソースを示す。ここで、ＵＥの送信リソースは、ＵＥの時間領域リソースおよび／または周波数領域リソースであり、ＵＥは、示された送信リソース内で信号送信を実行する。
【００６５】
実装では、第３のメッセージは、ＤＣＩまたはＭＡＣ  ＣＥによって伝達されることができる。
【００６６】
本開示のいくつかの実施形態では、第１のメッセージは、第１のセルを介して送信されることができ、第２のメッセージは、第１または第２のセルを介して送信されることができ、第３のメッセージは、第１または第２のセルを介して送信されることができる。
【００６７】
実装では、第２のメッセージが第２のセルを介して送信される場合、第２のメッセージは、第１のＢＷＰ内の送信リソースを使用することによって送信される。
【００６８】
実装では、第３のメッセージが第２のセルを介して送信される場合、第３のメッセージは、第１のＢＷＰ内の送信リソースを使用することによって送信される。
【００６９】
図２は、本開示のいくつかの実施形態にかかるリソースを判定する他の方法のフローチャートを示している。図２に示されるように、リソースを判定する方法は、ブロックで示される動作を含む。動作は、ブロック２０１から開始することができる。
【００７０】
ブロック２０１において、ネットワーク装置は、第１のセルを介して第１のメッセージを送信する。ここで、第１のメッセージは、第２のセルにおけるＭ個の第１の帯域幅部分（ＢＷＰ）を判定するために使用され、Ｍは、１以上の整数であり、Ｍ個の第１のＢＷＰのそれぞれは、第２のセルの帯域幅以下であり、第２のセルにおけるＵＥについての１つ以上の送信リソースは、Ｍ個の第１のＢＷＰのうちの少なくとも１つに含まれる。
【００７１】
本開示の実施形態では、ＵＥは、以下の方法で第２のセルにおけるＭ個の第１のＢＷＰを判定することができる。
【００７２】
スキーム１：Ｍ個の第１のＢＷＰは、第１のメッセージによって示される。
【００７３】
このスキームでは、ＵＥは、第１のメッセージに基づいて、第２のセル内のＭ個の第１のＢＷＰを判定する。
【００７４】
スキーム２：Ｎ個の第２のＢＷＰは、第１のメッセージによって示され、Ｎは、Ｍよりも大きい整数であり、Ｎ個の第２のＢＷＰのそれぞれは、第２のセルの帯域幅以下であり、ネットワーク装置は、第１または第２のセルを介して第２のメッセージをＵＥに送信し、第２のメッセージは、Ｎ個の第２のＢＷＰのうちのＭ個の第１のＢＷＰを示す。
【００７５】
このスキームでは、ＵＥは、第１のメッセージおよび第２のメッセージに基づいて、第２のセル内のＭ個の第１のＢＷＰを判定する。
【００７６】
実装では、第１のメッセージは、ＲＲＣシグナリングまたはシステム情報（ＳＩ）によって伝達されることができる。
【００７７】
実装では、第２のメッセージは、ダウンリンク制御情報（ＤＣＩ）またはメディアアクセス制御制御要素（ＭＡＣ  ＣＥ）によって伝達されることができる。
【００７８】
実装では、第１のメッセージは、さらに、第１のＢＷＰにおける構成に関する情報を含むことができ、第１のＢＷＰにおける構成に関する情報は、以下のうちの少なくとも１つを含む：  サブキャリア間隔（ＳＣＳ）；帯域幅サイズ；周波数領域位置；時間領域構造；同期信号の構成；ブロードキャストチャンネル；システム情報；または基準信号。
【００７９】
実装では、ネットワーク装置は、第１または第２のセルを介して第３のメッセージを送信し、第３のメッセージは、第２のセルの第１のＢＷＰ内のＵＥについての１つ以上の送信リソースを示す。
【００８０】
実装では、第３のメッセージは、ＤＣＩまたはＭＡＣ  ＣＥによって伝達されることができる。
【００８１】
本開示のいくつかの実施形態では、第２のセルの帯域幅は、システム帯域幅である。
【００８２】
以下、本開示の実施形態をさらに詳細に説明するために、特定の例を挙げる。以下の例では、ＷＵＥは、第１のＢＷＰを示し、候補バンドまたは候補は、第２のＢＷＰを表し、第１のキャリアは、第１のセルを示し、第２のキャリアは、第２のセルを示す。
【００８３】
例１：第２のキャリアからの第３のメッセージを伴うスキーム１
図３に示すように、ＵＥは、第１のキャリアから第１のメッセージ（例えば、ＲＲＣシグナリング）によって示されるその／それらの対応する構成を含む１つまたは複数のＷＵＥに関する情報を受信する（例えば、図３では１つのＷＵＥを取得する）。ＵＥは、第２のキャリアから第３のメッセージによって（例えば、ＤＣＩで）示されるＷＵＥ内の詳細なリソース割り当てに関する情報を受信する。
【００８４】
例２：第１のキャリアからの第３のメッセージを伴うスキーム１
図４に示すように、ＵＥは、第１のキャリアから第１のメッセージ（例えば、ＲＲＣシグナリング）によって示されるその／それらの対応する構成を含む１つまたは複数のＷＵＥに関する情報を受信する（例えば、図４では１つのＷＵＥを取得する）。ＵＥは、第１のキャリアから第３のメッセージによって（例えば、ＤＣＩで）示されるＷＵＥ内の詳細なリソース割り当てに関する情報を受信する。
【００８５】
例３：両方とも第２のキャリアからの第２および第３のメッセージを伴うスキーム２
図５に示すように、ＵＥは、第１のキャリアから第１のメッセージによって（例えば、ＲＲＣシグナリングで）示されるそれらの対応する構成を含む複数のＷＵＥ候補に関する情報を受信する。そして、ＵＥは、第２のキャリアを介して候補から特定の選択されたＷＵＥを示す第２のメッセージを受信する（図５の例ではＷＵＥに対して候補帯域１が選択される）。ＵＥは、また第２のキャリアから第３のメッセージによって（例えば、ＤＣＩで）示されるＷＵＥ内の詳細なリソース割り当てに関する情報を受信する。
【００８６】
例４：第２のキャリアからの第２のメッセージおよび第１のキャリアからの第３のメッセージを伴うスキーム２
図６に示すように、ＵＥは、第１のキャリアから第１のメッセージによって（例えば、ＲＲＣシグナリングで）示されるそれらの対応する構成を含む複数のＷＵＥ候補に関する情報を受信する。そして、ＵＥは、候補から特定の選択されたＷＵＥを示す第２のメッセージを第２のキャリアから受信する（図６の例ではＷＵＥに対して候補帯域１が選択される）。ＵＥは、第１のキャリアから第３のメッセージによって（例えば、ＤＣＩで）示されるＷＵＥ内の詳細なリソース割り当てに関する情報を受信する。
【００８７】
例５：第１のキャリアからの第２のメッセージおよび第２のキャリアからの第３のメッセージを伴うスキーム２
図７に示すように、ＵＥは、第１のキャリアから第１のメッセージによって（例えば、ＲＲＣシグナリングで）示されるそれらの対応する構成を含む複数のＷＵＥ候補に関する情報を受信する。そして、ＵＥは、候補から特定の選択されたＷＵＥを示す第２のメッセージを第１のキャリアから受信する（図７の例ではＷＵＥに対して候補帯域１が選択される）。ＵＥは、第２のキャリアから第３のメッセージによって（例えば、ＤＣＩで）示されるＷＵＥ内の詳細なリソース割り当てに関する情報を受信する。
【００８８】
例６：両方とも第１のキャリアからの第２および第３のメッセージを伴うスキーム２
図８に示すように、ＵＥは、第１のキャリアから第１のメッセージによって（例えば、ＲＲＣシグナリングで）示されるそれらの対応する構成を含む複数のＷＵＥ候補に関する情報を受信する。そして、ＵＥは、候補から特定の選択されたＷＵＥを示す第２のメッセージを第１のキャリアから受信する（図８の例ではＷＵＥに対して候補帯域１が選択される）。ＵＥは、第１のキャリアから第３のメッセージによって（例えば、ＤＣＩで）示されるＷＵＥ内の詳細なリソース割り当てに関する情報を受信する。
【００８９】
図９は、本開示のいくつかの実施形態にかかる、リソースを判定する装置のブロック図を示している。図９に示すように、リソースを判定する装置は、第１の受信ユニット９０１を含む。
【００９０】
第１の受信ユニット９０１は、第１のセルを介して第１のメッセージを受信するように構成され、第１のメッセージは、第２のセルにおけるＭ個の第１の帯域幅部分（ＢＷＰ）を判定するために使用され、Ｍは、１以上の整数であり、Ｍ個の第１のＢＷＰのそれぞれは、第２のセルの帯域幅以下であり、第２のセルにおけるＵＥについての１つ以上の送信リソースは、Ｍ個の第１のＢＷＰのうちの少なくとも１つに含まれる。
【００９１】
実装では、Ｍ個の第１のＢＷＰは、第１のメッセージによって示されることができ、装置は、さらに、第１のメッセージに基づいてＭ個の第１のＢＷＰを判定するように構成された判定ユニット９０２を含むことができる。
【００９２】
実装では、Ｎ個の第２のＢＷＰは、第１メッセージによって示されることができ、Ｎは、Ｍよりも大きい整数であり、Ｎ個の第２のＢＷＰのそれぞれは、第２のセルの帯域幅以下であり、装置は、さらに、第２の受信ユニット９０３および判定ユニット９０２を含むことができる。
【００９３】
第２の受信ユニット９０３は、第１または第２のセルを介して第２のメッセージを受信するように構成されることができ、第２のメッセージは、Ｎ個の第２のＢＷＰのうちのＭ個の第１のＢＷＰを示す。
【００９４】
判定ユニット９０２は、第１のメッセージおよび第２のメッセージに基づいてＭ個の第１のＢＷＰを判定するように構成されることができる。
【００９５】
実装では、第２のメッセージは、ダウンリンク制御情報（ＤＣＩ）またはメディアアクセス制御制御要素（ＭＡＣ  ＣＥ）によって伝達されることができる。
【００９６】
実装では、第１のメッセージは、ＲＲＣシグナリングまたはシステム情報（ＳＩ）によって伝達されることができる。
【００９７】
実装では、第１のメッセージは、さらに、第１のＢＷＰにおける構成に関する情報を含むことができ、第１のＢＷＰにおける構成に関する情報は、以下のうちの少なくとも１つを含む：サブキャリア間隔（ＳＣＳ）；帯域幅サイズ；周波数領域位置；時間領域構造；同期信号の構成；ブロードキャストチャンネル；システム情報；または基準信号。
【００９８】
実装では、装置は、さらに、第１または第２のセルを介して第３のメッセージを受信するように構成された第３の受信ユニット９０４を含むことができ、第３のメッセージは、第２のセルの第１のＢＷＰ内のＵＥについての１つ以上の送信リソースを示す。
【００９９】
実装では、第３のメッセージは、ＤＣＩまたはＭＡＣ  ＣＥによって伝達されることができる。
【０１００】
実装では、第２のセルの帯域幅は、システム帯域幅とすることができる。
【０１０１】
当業者が理解するように、図９に示されたリソースを判定する装置におけるユニットの機能は、リソースを判定する方法に関する上記の関連する説明に基づいて理解されることができ、プロセッサを実行するプログラムまたは論理回路によって実装されることができる。あるいは、第１の受信ユニット９０１、第２の受信ユニット９０３および第３の受信ユニット９０４は、受信機によって実装されてもよく、判定ユニット９０２は、プロセッサによって実装されてもよい。
【０１０２】
図１０は、本開示のいくつかの実施形態にかかる、リソースを判定する他の装置のブロック図を示している。図１０に示すように、リソースを判定する装置は、第１の送信ユニット１００１を含む。
【０１０３】
第１の送信ユニット１００１は、第１のセルを介して第１のメッセージをユーザ機器（ＵＥ）に送信するように構成される。第１のメッセージは、ＵＥが第２のセルにおけるＭ個の第１の帯域幅部分（ＢＷＰ）を判定するために使用され、Ｍは、１以上の整数であり、Ｍ個の第１のＢＷＰのそれぞれは、第２のセルの帯域幅以下である。第２のセルにおけるＵＥについての１つ以上の送信リソースは、Ｍ個の第１のＢＷＰのうちの少なくとも１つに含まれる。
【０１０４】
実装では、Ｍ個の第１のＢＷＰは、第１のメッセージによって示されることができる。
【０１０５】
実装では、Ｎ個の第２のＢＷＰは、第１のメッセージによって示されることができ、Ｎは、Ｍよりも大きい整数であり、Ｎ個の第２のＢＷＰのそれぞれは、第２のセルの帯域幅以下であり、装置は、さらに、第１または第２のセルを介してＵＥに第２のメッセージを送信するように構成された第２の送信ユニット１００２を含み、第２のメッセージは、Ｎ個の第２のＢＷＰのうちのＭ個の第１のＢＷＰを示す。
【０１０６】
実装では、第２のメッセージは、ダウンリンク制御情報（ＤＣＩ）またはメディアアクセス制御制御要素（ＭＡＣ  ＣＥ）によって伝達されることができる。
【０１０７】
実装では、第１のメッセージは、ＲＲＣシグナリングまたはシステム情報（ＳＩ）によって伝達されることができる。
【０１０８】
実装では、第１のメッセージは、さらに、第１のＢＷＰにおける構成に関する情報を含むことができ、第１のＢＷＰにおける構成に関する情報は、以下のうちの少なくとも１つを含むことができる：サブキャリア間隔（ＳＣＳ）；帯域幅サイズ；周波数領域位置；時間領域構造；同期信号の構成；ブロードキャストチャンネル；システム情報；または基準信号。
【０１０９】
本開示のいくつかの実施形態では、装置は、さらに、第１または第２のセルを介してＵＥに第３のメッセージを送信するように構成された第３の送信ユニット１００３を含むことができ、第３のメッセージは、第２のセルの第１のＢＷＰ内のＵＥについての１つ以上の送信リソースを示す。
【０１１０】
本開示のいくつかの実施形態では、第３のメッセージは、ＤＣＩまたはＭＡＣ  ＣＥによって伝達されることができる。
【０１１１】
本開示のいくつかの実施形態では、第２のセルの帯域幅は、システム帯域幅とすることができる。
【０１１２】
当業者が理解するように、図１０に示されたリソースを判定する装置におけるユニットの機能は、リソースを判定する方法に関する上記の関連する説明に基づいて理解されることができ、プロセッサを実行するプログラムまたは論理回路によって実装されることができる。あるいは、第１の送信ユニット１００１、第２の送信ユニット１００２および第３の送信ユニット１００３は、送信機によって実装されてもよい。
【０１１３】
上述したリソースを判定する装置の場合、ソフトウェア機能ユニットの形態で実装され、独立した製品として販売または使用される場合、その機能はまた、コンピュータ可読記憶媒体に記憶されてもよい。そのような理解に基づいて、実質的に本開示の技術的解決策または先行技術もしくは技術的解決策の一部に貢献する部分は、ソフトウェア製品の形態で具現化されてもよく、コンピュータソフトウェア製品は、（パーソナルコンピュータ、サーバ、ネットワーク装置などとすることができる）コンピュータ機器が本開示の各実施形態における方法の動作の全部または一部を実行することを可能にするように構成された複数の命令を含む記憶媒体に記憶される。上述した記憶媒体は、Ｕディスク、モバイルハードディスク、読み出し専用メモリ（ＲＯＭ）、ランダムアクセスメモリ（ＲＡＭ）、磁気ディスクまたは光ディスクなどのプログラムコードを記憶することができる様々な媒体を含む。したがって、本開示の実施形態は、ソフトウェアおよびハードウェアの任意の特定の組み合わせに限定されるものではない。
【０１１４】
本開示のいくつかの実施形態では、プロセッサによって実行されると、上述したリソースを判定する方法をプロセッサに実行させる命令を記憶するコンピュータ可読記憶媒体が提供される。
【０１１５】
図１１は、本開示のいくつかの実施形態にかかるコンピュータ装置のブロック図を示している。コンピュータ装置は、端末であってもよく、またはネットワーク装置であってもよい。図１１に示すように、コンピュータ装置１１０は、１つ以上の（１つのみが示される）プロセッサ１１０２（プロセッサ１１０２は、これらに限定されるものではないが、マイクロコントローラユニット（ＭＣＵ）またはプログラマブルロジックデバイス（ＦＰＧＡ、フィールドプログラマブルゲートアレイ）などを含むことができる）と、データを記憶するためのメモリ１１０４と、通信機能を実装するためのトランシーバ１１０６とを含むことができる。当業者は、図１１に示された構造が単に例示的なものであり、電子装置の構造を限定するものではないことを理解すべきである。例えば、コンピュータ装置１１０はまた、図１１に示されるよりも多いもしくは少ないコンポーネントを含んでもよく、または図１１に示されるものとは異なる構成を有してもよい。
【０１１６】
メモリ１１０４は、本開示の実施形態における方法に対応するプログラム命令／モジュールなどのソフトウェアプログラムおよびモジュールを記憶するように構成されることができる。プロセッサ１１０２は、メモリ１１０４に記憶されたソフトウェアプログラムおよびモジュールを実行することにより、すなわち、上記方法を実装するために、様々な機能的アプリケーションおよびデータ処理を実行する。メモリ１１０４は、高速ランダムアクセスメモリを含むことができるか、または１つ以上の磁気記憶装置、フラッシュメモリ、もしくは他の不揮発性ソリッドステートメモリなどの不揮発性メモリを含むことができる。いくつかの例では、メモリ１１０４は、さらに、プロセッサ１１０２から離れた１つ以上のメモリを含むことができ、メモリは、ネットワークを介してコンピュータ装置１１０に接続されることができる。そのようなネットワークの例は、これらに限定されるものではないが、インターネット、イントラネット、ローカルエリアネットワーク、モバイル通信ネットワーク、およびそれらの組み合わせを含む。
【０１１７】
トランシーバ１１０６は、ネットワークを介してデータを受信または送信するように構成される。ネットワークは、例えば、コンピュータ装置１１０の通信プロバイダに提供される無線ネットワークを含んでもよい。一例では、トランシーバ１１０６は、インターネットとの通信を実施するために基地局を介して他のネットワーク装置に接続されることができるネットワークインターフェースコントローラ（ＮＩＣ）を含む。一例では、トランシーバ１１０６は、インターネットとの通信を無線で実施することができる無線周波数（ＲＦ）回路とすることができる。
【０１１８】
本開示の実施形態は、矛盾することなく互いに自由に組み合わせることができる。
【０１１９】
本出願で提供されるいくつかの実施形態では、開示されたシステム、装置および方法は、他のモードで実現されることができることを理解されたい。例えば、上述した装置の実施形態は、単なる例示であり、例えば、ユニットの分割は、論理機能の分割にすぎず、他の分割モードが実際に採用されてもよく、例えば、複数のユニットまたはコンポーネントが他のシステムに組み合わされるか統合されてもよく、または、一部の特性が省略されたり、実行されなかったりしてもよい。他の観点から、表示または議論された相互結合または直接結合または通信接続は、いくつかのインターフェースを介した装置またはユニットの間接結合または通信接続とすることができ、電気的、機械的または他の形態とすることもできる。
【０１２０】
別個のコンポーネントとして示されているユニットは、物理的に分離されていてもいなくてもよく、ユニットとして表示されるコンポーネントは、物理的ユニットであってもなくてもよい。すなわち、コンポーネントは、１か所に配置されてもよく、または複数のネットワークユニットに分散されてもよい。実施形態の解決策の目的は、実際の必要性に応じてユニットの一部または全部を選択することによって満たされることができる。
【０１２１】
さらに、本開示の様々な実施形態では、機能ユニットは、１つの処理ユニットに統合されてもよく、または機能ユニットは、別個に物理的に存在してもよく、または２つ以上のユニットが１つのユニットに統合されてもよい。統合されたユニットは、ハードウェアによってまたはハードウェアおよびソフトウェア機能ユニットによって実装されることができる。
【０１２２】
上記は、本開示の特定の実装モードにすぎず、本開示の保護範囲を限定することを意図したものではない。本開示により開示された技術的範囲内で当業者にとって明らかな任意の変形または置換は、本開示の保護範囲内に含まれるものとする。
【手続補正２】
【補正対象書類名】特許請求の範囲
【補正対象項目名】全文
【補正方法】変更
【補正の内容】
【特許請求の範囲】
【請求項１】
リソースを判定する方法において、
ユーザ機器ＵＥにより、第１のセルを介して第１のメッセージを受信することを含み、前記第１のメッセージが、第２のセルにおいて第１の帯域幅部分ＢＷＰを判定するために使用され、第１のＢＷＰが、前記第２のセルの帯域幅以下であり、
前記第２のセルにおける前記ＵＥについての１つ以上の送信リソースが、前記第１のＢＷＰ（１０１）に含まれる、方法。
【請求項２】
前記第１のＢＷＰが、前記第１のメッセージによって示され、
前記方法が、さらに、
前記ＵＥにより、前記第１のメッセージに基づいて前記第１のＢＷＰを判定することを含む、請求項１に記載の方法。
【請求項３】
Ｎ個の第２のＢＷＰが前記第１のメッセージによって示され、Ｎが１よりも大きい整数であり、前記Ｎ個の第２のＢＷＰのそれぞれが前記第２のセルの前記帯域幅以下であり、
前記方法が、さらに、
前記ＵＥにより、前記第１または第２のセルを介して第２のメッセージを受信することを備え、前記第２のメッセージが、前記Ｎ個の第２のＢＷＰのうちの前記第１のＢＷＰを示す、請求項１に記載の方法。
【請求項４】
前記第２のメッセージが、ダウンリンク制御情報ＤＣＩまたはメディアアクセス制御ＭＡＣ制御要素ＣＥによって伝達される、請求項３に記載の方法。
【請求項５】
前記第１のメッセージが、ＲＲＣシグナリングまたはシステム情報ＳＩによって伝達される、請求項１から４のいずれか一項に記載の方法。
【請求項６】
前記第１のメッセージが、さらに、前記第１のＢＷＰにおける構成に関する情報を含み、前記第１のＢＷＰにおける構成に関する情報が、
サブキャリア間隔ＳＣＳ；帯域幅サイズ；周波数領域位置；時間領域構造；同期信号の構成；ブロードキャストチャンネル；システム情報；または基準信号のうちの少なくとも１つを含む、請求項１から５のいずれか一項に記載の方法。
【請求項７】
さらに、
前記ＵＥにより、前記第１または第２のセルを介して第３のメッセージを受信することを備え、前記第３のメッセージが、前記第２のセルの前記第１のＢＷＰ内の前記ＵＥについての前記１つ以上の送信リソースを示す、請求項１から６のいずれか一項に記載の方法。
【請求項８】
前記第３のメッセージが、ダウンリンク制御情報ＤＣＩ、または、メディアアクセス制御ＭＡＣ制御要素ＣＥによって伝達される、請求項７に記載の方法。
【請求項９】
リソースを判定する装置において、
第１のセルを介して第１のメッセージを受信するように構成された第１受信ユニット（９０１）を備え、前記第１のメッセージが、第２のセルにおける第１の帯域幅部分ＢＷＰを判定するために使用され、前記第１のＢＷＰのそれぞれが、前記第２のセルの帯域幅以下であり、
前記第２のセルにおける前記ＵＥについての１つ以上の送信リソースが、前記第１のＢＷＰに含まれる、装置。
【請求項１０】
前記Ｍ個の第１のＢＷＰが、前記第１のメッセージによって示され、
前記装置が、さらに、
前記第１のメッセージに基づいて前記第１のＢＷＰを判定するように構成された判定ユニット（９０２）を備える、請求項９に記載の装置。
【請求項１１】
Ｎ個の第２のＢＷＰが、前記第１のメッセージによって示され、Ｎが１よりも大きい整数であり、前記Ｎ個の第２のＢＷＰのそれぞれが、前記第２のセルの前記帯域幅以下であり、
前記装置が、さらに、
前記第１または第２のセルを介して第２のメッセージを受信するように構成された第２の受信ユニットであって、前記第２のメッセージが前記Ｎ個の第２のＢＷＰのうちの前記第１のＢＷＰを示す第２の受信ユニット（９０３）と、
前記第１のメッセージおよび前記第２のメッセージに基づいて前記第１のＢＷＰを判定するように構成された判定ユニットと（９０２）を備える、請求項９に記載の装置。
【請求項１２】
前記第２のメッセージが、ダウンリンク制御情報ＤＣＩ、または、メディアアクセス制御ＭＡＣ制御要素ＣＥによって伝達される、請求項１１に記載の装置。
【請求項１３】
前記第１のメッセージが、ＲＲＣシグナリングまたはシステム情報ＳＩによって伝達される、請求項９から１２のいずれか一項に記載の装置。
【請求項１４】
前記第１のメッセージが、さらに、前記第１のＢＷＰにおける構成に関する情報を含み、前記第１のＢＷＰにおける構成に関する前記情報が、
サブキャリア間隔ＳＣＳ；帯域幅サイズ；周波数領域位置；時間領域構造；同期信号の構成；ブロードキャストチャンネル；システム情報；または基準信号のうちの少なくとも１つを含む、請求項９から１３のいずれか一項に記載の装置。
【請求項１５】
さらに、
前記第１または第２のセルを介して第３のメッセージを受信するように構成された第３の受信ユニット（９０４）を備え、前記第３のメッセージが、前記第２のセルの前記第１のＢＷＰ内の前記ＵＥについての前記１つ以上の送信リソースを示す、請求項９から１４のいずれか一項に記載の装置。
【請求項１６】
前記第３のメッセージが、前記ダウンリンク制御情報ＤＣＩまたは前記メディアアクセス制御ＭＡＣ制御要素ＣＥによって伝達される、請求項１５に記載の装置。
【請求項１７】
装置のプロセッサによって実行されると、前記装置に請求項１から８のいずれか一項に記載の方法を実行させる、コンピュータ実行可能な命令を記憶するコンピュータ可読記憶媒体。
【請求項１８】
装置に構成されたプロセッサであって、
コンピュータ可読記憶媒体に記憶されたコンピュータ実行可能な命令が前記プロセッサによって実行されると、前記装置に請求項１から８のいずれか一項に記載の方法を実行させる、プロセッサ。